(57)【要約】【課題】簡易な構成でタッチ入力を誤検出する可能性を低減する。【解決手段】本発明の入力装置は、入力手段の接触により静電容量値が増加し、該静電容量値が所定の閾値を超えたときにタッチ検出信号を出力する静電容量式のタッチパネルと、前記入力手段の接触により前記タッチパネルに生じる静電容量値以外の変化を検出して出力するセンサと、前記タッチ検出信号が出力されたときの前記センサの出力が、前記入力手段の接触を示すものでない場合に、前記閾値を設定しなおす制御部と、を有する。【選択図】図１
2013109636.tif 000002
【特許請求の範囲】
【請求項１】
入力手段の接触により静電容量値が増加し、該静電容量値が所定の閾値を超えたときにタッチ検出信号を出力する静電容量式のタッチパネルと、
前記入力手段の接触により前記タッチパネルに生じる静電容量値以外の変化を検出して出力するセンサと、
前記タッチ検出信号が出力されたときの前記センサの出力が、前記入力手段の接触を示すものでない場合に、前記閾値を設定しなおす制御部と、を有することを特徴とする入力装置。
【請求項２】
請求項１記載の入力装置において、
前記センサは、前記タッチパネルに印加される加速度を検出して出力する加速度センサであり、
前記制御部は、前記加速度センサの出力により前記入力手段の接触の有無を判断することを特徴とする入力装置。
【請求項３】
請求項１記載の入力装置において、
前記センサは、前記タッチ入力が行われる際に操作者により覆われる位置に配置され、周辺の照度を検出する照度センサであり、
前記制御部は、前記照度センサの出力により前記入力手段の接触の有無を判断することを特徴とする入力装置。
【請求項４】
入力手段の接触により静電容量値が増加し、該静電容量値が所定の閾値を超えたときにタッチ検出信号を出力する静電容量式のタッチパネルと、前記入力手段の接触により前記タッチパネルに生じる静電容量値以外の変化を検出して出力するセンサと、を有する入力装置の制御方法であって、
前記タッチ検出信号が出力されたときの前記センサの出力が、前記入力手段の接触を示すものでない場合に前記閾値を設定しなおすことを特徴とする入力装置の制御方法。
【請求項５】
請求項４記載の入力装置の制御方法において、
前記センサは、前記タッチパネルに印加される加速度を検出して出力する加速度センサであり、
前記加速度センサの出力により前記入力手段の接触の有無を判断することを特徴とする入力装置の制御方法。
【請求項６】
請求項４記載の入力装置の制御方法において、
前記センサは、前記タッチ入力が行われる際に操作者により覆われる位置に配置され、周辺の照度を検出して出力する照度センサであり、
前記照度センサの出力により前記入力手段の接触の有無を判断することを特徴とする入力装置の制御方法。
【発明の詳細な説明】
【技術分野】
【０００１】
本発明は、静電容量式のタッチパネルを有する入力装置およびその制御方法に関する。
【背景技術】
【０００２】
操作者からの入力を受け付ける入力装置として、指などの入力手段によるタッチ入力を検出するタッチパネルを有するものがある。このような入力装置は、例えば、携帯電話、スマートフォン、携帯型ゲーム機などの情報処理装置に組み込まれて使用される。タッチパネルにはタッチ入力を検出する方式に応じて種々のものがあるが、情報処理装置に組み込まれる入力装置においては、入力手段の接触により静電容量値が増加し、閾値を超えたときにタッチ入力を検出して、タッチ検出信号を出力する静電容量式のタッチパネルが用いられることが多い。
【０００３】
上述した入力装置を組み込んだ情報処理装置においては、表示素子に重ね合わせてタッチパネルが配置され、操作者は表示素子の表示を見ながらタッチ入力を行うことで、直感的な操作入力が可能となり、使い勝手の向上を図ることができる。
【０００４】
近年、情報処理装置の小型化、薄型化が進み、情報処理装置内の電子部品は密集配置されている。各電子部品は固有の駆動周期を有しており、ある電子部品の駆動周期による電気的なノイズが他の電子部品に影響を及ぼすことがある。例えば、タッチパネルが、他の電子部品の駆動周期による電気的なノイズの影響を受けて、タッチ入力が行われていないにもかかわらず、タッチ入力を誤検出することがある。タッチパネルは表示素子に重ね合わせて配置されるため、特に、表示素子の駆動周期による電気的なノイズにより受ける影響が大きい。
【０００５】
図９は、上述した入力装置を組み込んだタッチパネルを有する情報処理装置９０の構成を示すブロック図である。
【０００６】
情報処理装置９０は、ケース９１と、表示素子９２と、タッチパネル９３と、制御回路９４と、を有する。
【０００７】
ケース９１は、情報処理装置９０の外観を形成するものであり、内部に表示素子９２、タッチパネル９３および制御回路９４を格納する。
【０００８】
表示素子９２は、情報処理装置９０に搭載された種々の機能に応じて生成される画像、情報処理装置９０内に記憶されている静止画像、動画像など、種々の画像を表示するデバイスである。
【０００９】
タッチパネル９３は、入力手段の接触により静電容量値が増加し、その静電容量値が閾値を超えたときにタッチ入力を検出し、タッチ検出信号を出力する静電容量式の入力デバイスである。
【００１０】
制御回路９４は、タッチパネル９３から出力されるタッチ検出信号などに応じて、情報処理装置９０全体の動作を制御する。
【００１１】
なお、図９においては、情報処理装置９０に搭載された種々の機能を実現するための処理ブロックについては記載を省略した。
【００１２】
図１０は、タッチパネル９３と入力手段との間の容量結合を示す図である。
【００１３】
表示素子９２とタッチパネル９３とは、重ね合わせて配置された階層構成を有しており、表示素子９２の上にタッチパネル９３が配置されている。
【００１４】
操作者が指などの入力手段１００をタッチパネル９３に近づけタッチ入力を行うと、入力手段１００とタッチパネル９３との間の静電容量による容量結合１０１が発生する。タッチパネル９３は、容量結合１０１の静電容量が閾値以上になると、タッチ入力が行われたと検出する。なお、タッチパネル９３の表面にはガラスなどからなるスクリーンが形成され、スクリーンに入力手段１００を接触させることでタッチ入力が行われるが、図１０においては、スクリーンの記載を省略している。
【００１５】
図１１は、図９に示す表示素子９２およびタッチパネル９３の動作を時系列的に示す図である。以下では、複数のステップに分けて、各部の動作を説明する。
【００１６】
ステップＳ１１１において、表示素子９２およびタッチパネル９３の電源状態は電源オフである。
【００１７】
ステップＳ１１２において、制御回路９４は、タッチパネル９３の電源状態を電源オンにする。電源投入が行われると、タッチパネル９３の動作状態は初期化状態となる。初期化状態においては、タッチパネル９３とその周辺部との間の静電容量が読み込まれ、制御回路９４は、タッチパネル９３と周辺部との間の静電容量による容量結合の状態に応じて、タッチパネル９３がタッチ入力を検出する判定閾値を決定する。
【００１８】
判定閾値の決定が終了すると、ステップＳ１１３において、タッチパネル９３の動作状態はタッチ検出動作状態となる。タッチ検出動作状態においては、タッチパネル９３は、図１０に示す容量結合１０１の静電容量が判定閾値を超えると、タッチ入力が行われたものとしてタッチ検出信号を制御回路９４に出力する。
【００１９】
ステップＳ１１４において、制御回路９４は、表示素子９２の電源状態を電源オンとし、表示を開始させる。
【００２０】
ステップＳ１１５において、タッチ入力が行われたとすると、入力手段１００の状態はタッチありとなる。また、タッチパネル９３はタッチ入力を検出し、タッチパネル９３の検出状態はタッチ検出ありとなる。
【００２１】
ステップＳ１１６において、タッチ入力が解除されると、入力手段１００の状態はタッチなしとなり、また、タッチパネル９３の検出状態はタッチ検出なしとなる。
【００２２】
図１２は、表示素子９２とタッチパネル９３との間の容量結合を示す図である。
【００２３】
表示素子９２とタッチパネル９３との間には静電容量により容量結合１２１が発生する。ここで、表示素子９２が表示動作を行うと、表示素子９２の駆動周期による電気的なノイズにより容量結合１２１の静電容量が変動し、判定閾値を超えることがある。容量結合１２１の静電容量が判定閾値を超えると、タッチパネル９３は、タッチ入力が行われていないにもかかわらず、タッチ入力を誤検出する。
【００２４】
図１３は、図９に示す表示素子９２およびタッチパネル９３の動作を示す図である。図１３において、ステップＳ１３１からステップＳ１３４の処理はそれぞれ、図１１に示すステップＳ１１１からステップＳ１１４の処理と同様であるため説明を省略する。
【００２５】
図１３においては、ステップＳ１３５において、タッチ入力が行われないものとする。したがって、入力手段１００の状態はタッチなしのままである。ここで、表示素子９２は表示動作を行っているため、表示素子９２の駆動周期による電気的なノイズにより、図１２に示す容量結合１２１の静電容量が判定閾値を超えることがある。容量結合１２１の静電容量が判定閾値を超えると、タッチパネル９３は、タッチ入力が行われていないにもかかわらず、タッチ入力を誤検出する。したがって、ステップＳ１３５において、タッチパネル９３の検出状態が検出ありとなってしまう。
【００２６】
このように、タッチパネル９３周辺の表示素子９２などの電子部品の駆動周期による電気的なノイズの影響で、タッチパネル９３と周辺部との間の静電容量が変動し、初期化状態において設定した判定閾値を越えると、タッチパネル９３が、タッチ入力が行われていないにもかかわらず、タッチ入力を誤検出してしまう。
【００２７】
電子部品の駆動周期による電気的なノイズの影響でタッチ入力の誤検出が起こらないようにするには、ノイズの発生を抑制することが考えられる。しかし、一般に、電子部品の駆動周期により生じる電気的なノイズは抑制が困難である。
【００２８】
そこで、特許文献１（特開２０１１−１７０７８４号公報）には、複数の走査線を順次駆動して画像を表示する表示素子と、表示素子に重ね合わせて配置されたタッチパネルと、を有する表示装置において、駆動される走査線に対応するタッチパネル上の領域においては、タッチ入力の検出を行わない技術が開示されている。この技術によれば、駆動される走査線に対応するタッチパネル上の領域においては、タッチ入力の検出が行われないので、表示素子の駆動周期による電気的なノイズによりタッチ入力を誤検出する可能性を低減することができる。
【先行技術文献】
【特許文献】
【００２９】
【特許文献１】特開２０１１−１７０７８４号公報
【発明の概要】
【発明が解決しようとする課題】
【００３０】
特許文献１に開示の技術においては、タッチパネルや表示素子の種類や仕様が変更されるたびに、各走査線に対応するタッチパネル上のタッチ入力の検出を行わない領域の設定が必要となり、手間がかかるという問題がある。
【００３１】
本発明の目的は、簡易な構成でタッチ入力を誤検出する可能性を低減することができる入力装置およびその制御方法を提供することにある。
【課題を解決するための手段】
【００３２】
上記目的を達成するために本発明の入力装置は、
入力手段の接触により静電容量値が増加し、該静電容量値が所定の閾値を超えたときにタッチ検出信号を出力する静電容量式のタッチパネルと、
前記入力手段の接触により前記タッチパネルに生じる静電容量値以外の変化を検出して出力するセンサと、
前記タッチ検出信号が出力されたときの前記センサの出力が、前記入力手段の接触を示すものでない場合に、前記閾値を設定しなおす制御部と、を有する。
【００３３】
上記目的を達成するための本発明の入力装置の制御方法は、
入力手段の接触により静電容量値が増加し、該静電容量値が所定の閾値を超えたときにタッチ検出信号を出力する静電容量式のタッチパネルと、前記入力手段の接触により前記タッチパネルに生じる静電容量値以外の変化を検出して出力するセンサと、を有する入力装置の制御方法であって、
前記タッチ検出信号が出力されたときの前記センサの出力が、前記入力手段の接触を示すものでない場合に前記閾値を設定しなおす。
【発明の効果】
【００３４】
本発明によれば、簡易な構成でタッチ入力を誤検出する可能性を低減できる。
【図面の簡単な説明】
【００３５】
【図１】本発明の第１の実施形態の情報処理装置の構成を示すブロック図である。
【図２】図１に示す情報処理装置の断面図である。
【図３】図１に示す表示素子、タッチパネルおよび加速度センサの動作を示す図である。
【図４】図１に示す表示素子、タッチパネルおよび加速度センサの動作を示す図である。
【図５】本発明の第２の実施形態の情報処理装置の構成を示すブロック図である。
【図６】図５に示す情報処理装置の外観を示す図である。
【図７】図５に示す表示素子、タッチパネルおよび照度センサの動作を示す図である。
【図８】図５に示す表示素子、タッチパネルおよび照度センサの動作を示す図である。
【図９】関連する情報処理装置の構成を示すブロック図である。
【図１０】図９に示すタッチパネルと入力手段との間の容量結合を示す図である。
【図１１】図９に示す表示素子およびタッチパネルの動作を示す図である。
【図１２】図９に示す表示素子とタッチパネルとの間の容量結合を示す図である。
【図１３】図９に示す表示素子およびタッチパネルの動作を示す図である。
【発明を実施するための形態】
【００３６】
以下に、本発明を実施するための形態について図面を参照して説明する。
【００３７】
本発明に係る情報処理装置は、静電容量式のタッチパネルを有する入力装置が組み込まれた、携帯電話、スマートフォン、携帯型ゲーム機などの情報処理装置である。
【００３８】
（第１の実施形態）
図１は、本発明の第１の実施形態の情報処理装置１０の構成を示すブロック図である。
【００３９】
情報処理装置１０は、ケース１１と、表示素子１２と、タッチパネル１３と、加速度センサ１４と、制御回路１５と、を有する。タッチパネル１３、加速度センサ１４および制御回路１５は、入力装置を構成する。制御回路１５は、制御部の一例である。
【００４０】
ケース１１は、情報処理装置１０の外観を形成するものであり、内部に表示素子１２、タッチパネル１３、加速度センサ１４および制御回路１５を格納する。
【００４１】
表示素子１２は、情報処理装置１０に搭載された種々の機能に応じて生成される画像、情報処理装置１０内に記憶されている静止画像、動画像など、種々の画像を表示するデバイスである。表示素子１２は、図９に示す表示素子９２に対応する。
【００４２】
タッチパネル１３は、操作者の指などの入力手段の接触により静電容量値が増加し、その静電容量値が閾値を超えたときにタッチ入力を検出し、タッチ検出信号を出力する静電容量式の入力デバイスである。タッチパネル１３は、図９に示すタッチパネル９３に対応する。
【００４３】
加速度センサ１４は、タッチパネル１３に作用する加速度を検出し、検出結果を制御回路１５に出力する。
【００４４】
制御回路１５は、タッチパネル１３から出力されるタッチ検出信号に応じて、情報処理装置１０全体の動作を制御する。
【００４５】
なお、図１においては、情報処理装置１０に搭載された種々の機能を実現するための処理ブロックについては記載を省略している。また、以下では、制御回路１５の動作のうち、入力装置の制御に関連する動作について主に説明する。
【００４６】
図２は、情報処理装置１０の断面図である。
【００４７】
加速度センサ１４は、ケース１１に固定されている。
【００４８】
操作者がタッチ入力により入力手段１００をタッチパネル１３に接触させると、入力手段１００の接触による応力がケース１１を介して加速度センサ１４に伝達される。加速度センサ１４は、ケース１１を介して伝達された応力、すなわち、タッチ入力によりタッチパネル１３に作用する加速度２１を検出する。したがって、加速度センサ１４は、入力手段１００の接触によりタッチパネル１３に生じる静電容量値以外の変化として、入力手段１００の接触によりタッチパネル１３に印加される加速度を検出する。
【００４９】
図３は、図１に示す表示素子１２、タッチパネル１３および加速度センサ１４の動作を時系列的に示す図である。
【００５０】
ステップＳ３１において、表示素子１２およびタッチパネル１３の電源状態は電源オフである。また、加速度センサ１４の検出状態は加速度検出なしである。
【００５１】
ステップＳ３２において、制御回路１５は、タッチパネル１３の電源状態を電源オンにする。電源投入が行われると、タッチパネル１３の動作状態は初期化状態となる。初期化状態においては、タッチパネル１３とその周辺部との間の静電容量が読み込まれ、制御回路１５は、タッチパネル１３と周辺部との間の静電容量による容量結合の状態に応じて、タッチパネル１３がタッチ入力を検出する静電容量の判定閾値を決定する。
【００５２】
判定閾値の決定が終了すると、ステップＳ３３において、タッチパネル１３の動作状態はタッチ検出動作状態となる。タッチ検出動作状態においては、タッチパネル１３は、図１０に示す容量結合１０１の静電容量が判定閾値を超えると、タッチ入力が行われたものとしてタッチ検出信号を制御回路１５に出力する。
【００５３】
ステップＳ３４において、制御回路１５は、表示素子１２の電源状態を電源オンとし、表示を開始させる。
【００５４】
ステップＳ３５において、タッチ入力が行われたとすると、入力手段１００の状態はタッチありとなる。また、タッチパネル１３はタッチ入力を検出し、タッチパネル１３の検出状態はタッチ検出ありとなる。また、タッチ入力により、タッチパネル１３に印加される加速度が発生する。加速度センサ１４からはタッチパネル１３に印加される加速度を示す信号が出力される。
【００５５】
制御回路１５は、判定閾値を決定した後初めて、タッチパネル１３の検出状態がタッチ検出ありとなると、すなわち、タッチパネル１３からタッチ検出信号が出力されると、加速度センサ１４の出力により、入力手段１００のタッチパネル１３への接触の有無を判断する。具体的には、制御回路１５は、加速度センサ１４の出力に示される加速度が所定の閾値を越えるか否かを判定する。加速度センサ１４の出力に示される加速度が所定の閾値を越える場合には、タッチ入力が行われていると考えられる。この場合、制御回路１５は、入力手段１００のタッチパネル１３への接触があり、判定閾値が適正に設定され、タッチパネル１３によりタッチ入力の検出が正しく行われていると判定し、各部の動作を継続させる。
【００５６】
ステップＳ３６において、タッチ入力が解除されると、入力手段１００の状態はタッチなしとなり、また、タッチパネル１３の検出状態はタッチ検出なしとなる。
【００５７】
図４は、図１に示す表示素子１２、タッチパネル１３および加速度センサ１４の図３とは異なる動作を時系列的に示す図である。図４において、ステップＳ４１からステップＳ４４の処理はそれぞれ、図３に示すステップＳ３１からステップＳ３４の処理と同様であるため説明を省略する。
【００５８】
図４においては、ステップＳ４５において、タッチ入力が行われないものとする。したがって、入力手段１００の状態はタッチなしのままである。ここで、表示素子１２が表示動作を行っているため、表示素子１２の駆動周期による電気的なノイズにより、図１２に示す容量結合１２１の静電容量が判定閾値を超えることがある。容量結合１２１の静電容量が判定閾値を超えると、タッチパネル１３は、タッチ入力が行われていないにもかかわらず、タッチ入力が行われたと誤検出する。したがって、ステップＳ４５において、タッチパネル１３の検出状態が検出ありとなる。
【００５９】
一方、上述したように、ステップＳ４５においては、実際にはタッチ入力が行われていないので、タッチパネル１３への加速度の印加はない。
【００６０】
制御回路１５は、判定閾値を決定した後初めて、タッチパネル１３の検出状態がタッチ検出ありとなると、加速度センサ１４の出力により、入力手段１００のタッチパネル１３への接触の有無を判断する。具体的には、制御回路１５は、加速度センサ１４の出力に示される加速度が所定の閾値を越えるか否かを判定する。加速度センサ１４の出力に示される加速度が所定の閾値を越えない場合には、表示動作を開始した表示素子１２の駆動周期による電気的なノイズの影響を受けて、容量結合１２１の静電容量が判定閾値を越えたことが考えられる。この場合、制御回路１５は、入力手段１００のタッチパネル１３への接触はなく、タッチパネル１３がタッチ入力を誤検出したと判定する。
【００６１】
ステップＳ４６において、タッチパネル１３の検出状態がタッチ検出なしとなると、ステップＳ４７において、制御回路１５は、タッチパネル１３の初期化を再度行う。すなわち、制御回路１５は、判定閾値を設定しなおす。ステップＳ４７においては、表示素子１２の電源状態は電源オンである。この状態で判定閾値を再設定すると、表示素子１２の駆動周期による電気的なノイズの影響が容量結合１２１に加わった状態で、判定閾値が決定される。そのため、以後、表示素子１２の駆動周期による電気的なノイズによりタッチパネル１３がタッチ入力を誤検出する可能性を低減することができる。
【００６２】
判定閾値の再設定が終了すると、ステップＳ４８において、タッチパネル１３の動作状態はタッチ検出動作状態となる。
【００６３】
このように本実施形態によれば、情報処理装置１０は、タッチパネル１３からタッチ検出信号が出力されると、タッチ検出信号が出力されたときの加速度センサ１３の出力が、入力手段１００のタッチパネル１３への接触を示すものでない場合に判定閾値を設定しなおす。より具体的には、情報処理装置１０は、加速度センサ１４からの出力に示される加速度が所定の閾値を超えない場合には、加速度センサ１４の出力が入力手段１００の接触を示すものでないと判定し、タッチパネル１３を初期化し、判定閾値を設定しなおす。
【００６４】
タッチパネル１３に印加される加速度がないということは、タッチ入力が行われていない可能性が高い。それにもかかわらず、タッチパネル１３がタッチ入力を検出した場合には、周辺の電子部品の駆動周期による電気的なノイズによる誤検出であると考えられる。そのため、判定閾値を設定しなおすことで、周辺の電子部品の駆動周期による電気的なノイズの影響を踏まえた判定閾値を決定することができるので、タッチパネル１３がタッチ入力を誤検出する可能性を低減することができる。また、本実施形態の情報処理装置１０によれば、特許文献１に開示の技術のように、走査線に対応するタッチパネル上のタッチ入力の検出を行わない領域の設定などが不要であり、簡易な構成でタッチ入力を誤検出する可能性を低減することができる。
【００６５】
（第２の実施形態）
図５は、本発明の第２の実施形態の情報処理装置５０の構成を示すブロック図である。
【００６６】
本実施形態の情報処理装置５０は、第１の実施形態の情報処理装置１０と比較して、加速度センサ１４を削除して、照度センサ５１を追加した点と、制御回路１５を制御回路５２に変更した点と、が異なる。タッチパネル１３、照度センサ５１および制御回路５２は、入力装置を構成する。制御回路５２は、制御部の一例である。
【００６７】
照度センサ５１は、周辺の照度を測定し、測定結果を制御回路５２に出力する。
【００６８】
制御回路５２は、タッチパネル１３から出力されるタッチ検出信号に応じて、表示素子１２の表示など、情報処理装置５０全体の動作を制御する。
【００６９】
なお、図５においては、情報処理装置５０に搭載された種々の機能を実現するための処理ブロックについては記載を省略している。また、以下では、制御回路５２の動作のうち、入力装置の制御に関連する動作について主に説明する。
【００７０】
図６は、情報処理装置５０の外観を示す図である。
【００７１】
表示素子１２、タッチパネル１３および照度センサ５１が、外観上、視認できるように配置されている。また、照度センサ５１は、タッチ入力が行われる際に、操作者の手６０などで覆われる位置に配置されている。そのため、照度センサ５１は、入力手段１００の接触によりタッチパネル１３に生じる静電容量値以外の変化として、タッチパネル１３の周辺の照度の変化を検出する。具体的には、照度センサ５１が検出する照度は、タッチ入力が行われない場合には高くなり、タッチ入力が行われる場合には低くなる。なお、図６においては、照度センサ５１と操作者の手６０との位置関係を分かりやすくするために、操作者の手６０を透過させて記載している。
【００７２】
図７は、図５に示す表示素子１２、タッチパネル１３および照度センサ５１の動作を時系列的に示す図である。
【００７３】
ステップＳ７１において、表示素子１２およびタッチパネル１３の電源状態は電源オフである。また、照度センサ５１の測定状態、すなわち、照度センサ５１からの出力に示される照度は一定のままである。
【００７４】
ステップＳ７２において、制御回路５２は、タッチパネル１３の電源状態を電源オンにする。電源投入が行われると、タッチパネル１３の動作状態は初期化状態となる。初期化状態においては、タッチパネル１３とその周辺部との間の静電容量が読み込まれ、制御回路５２は、タッチパネル１３と周辺部との間の静電容量による容量結合の状態に応じて、判定閾値を決定する。
【００７５】
判定閾値の決定が終了すると、ステップＳ７３において、タッチパネル１３の動作状態はタッチ検出動作状態となる。タッチ検出動作状態においては、タッチパネル１３は、図１０に示す容量結合１０１の静電容量が判定閾値を超えると、タッチ入力が行われたものとしてタッチ検出信号を制御回路５２に出力する。
【００７６】
ステップＳ７４において、制御回路５２は、表示素子１２の電源状態を電源オンとし、表示を開始させる。
【００７７】
ステップＳ７５において、タッチ入力を行うために操作者が手６０を情報処理装置５０に近づけ、照度センサ５１が操作者の手６０により覆われたとする。照度センサ５１が操作者の手６０により覆われると、照度センサ５１が検出する照度は、操作者の手６０に覆われていない場合よりも低くなる。したがって、照度センサ５１の出力に示される照度は低下する。
【００７８】
ステップＳ７６において、タッチ入力が行われたとすると、入力手段１００の状態はタッチありとなる。また、タッチパネル１３はタッチ入力を検出し、タッチパネル１３の検出状態はタッチ検出ありとなる。
【００７９】
制御回路５２は、判定閾値を決定した後後初めて、タッチパネル１３の検出状態がタッチ検出ありとなると、照度センサ５１の出力により入力手段１００のタッチパネル１３への接触の有無を判断する。具体的には、制御回路５２は、照度センサ５１の出力に示される照度が所定の閾値以下に変化しているか否かを判定する。上述したように、ステップＳ７５において、照度センサ５１の出力に示される照度は低下し、所定の閾値以下になったとする。照度センサ５１の出力に示される照度が所定の閾値以下となる場合には、操作者の手６０により照度センサ５１が覆われ、タッチ入力が行われていると考えられる。この場合、制御回路５２は、入力手段１００のタッチパネル１３への接触があり、判定閾値が適切に設定され、タッチパネル１３によりタッチ入力の検出が正しく行われていると判定し、各部の動作を継続させる。
【００８０】
ステップＳ７７において、タッチ入力が解除されると、入力手段１００の状態はタッチなしとなり、また、タッチパネル１３の検出状態はタッチ検出なしとなる。
【００８１】
図８は、図５に示す表示素子１２、タッチパネル１３および照度センサ５１の図７とは異なる動作を時系列的に示す図である。図８において、ステップＳ８１からステップＳ８４の処理はそれぞれ、図７に示すステップＳ７１からステップＳ７４の処理と同様であるため説明を省略する。
【００８２】
図８においては、ステップＳ８５において、操作者が手６０を情報処理装置５０に近づけなかったとする。そのため、照度センサ５１は操作者の手６０に覆われることがなく、照度センサ５１の出力に示される照度は一定のままである。
【００８３】
ステップＳ８６において、タッチ入力が行われなかったとする。したがって、入力手段１００の状態はタッチなしのままである。ここで、表示素子１２が表示動作を行っているため、表示素子１２の駆動周期による電気的なノイズにより、図１２に示す容量結合１２１の静電容量が判定閾値を超えることがある。容量結合１２１の静電容量が判定閾値を超えると、タッチパネル１３は、タッチ入力が行われていないにもかかわらず、タッチ入力が行われたと誤検出する。したがって、ステップＳ８６において、タッチパネル１３の検出状態が検出ありとなる。
【００８４】
一方、上述したように、ステップＳ８５およびステップＳ８６においては、照度センサ５１は、タッチ入力を行う操作者の手６０に覆われていない。したがって、照度センサ５１の出力に示される照度は一定のままである。
【００８５】
制御回路５２は、判定閾値を決定した後初めて、タッチパネル１３の検出状態がタッチ検出ありとなると、照度センサ５１の出力により入力手段１００のタッチパネル１３への接触の有無を判断する。具体的には、制御回路５２は、照度センサ５１の出力に示される照度が所定の閾値以下に変化しているか否かを判定する。上述したように、照度センサ５１からの出力に示される照度は一定のままである。照度センサ５１からの出力に示される照度は一定であるにもかかわらず、タッチパネル１３の検出状態がタッチ検出ありとなった場合、表示動作を開始した表示素子１２の駆動周期による電気的なノイズの影響を受けて、容量結合１２１の静電容量が判定閾値を越えたことが考えられる。この場合、制御回路５２は、タッチパネル１３がタッチ入力を誤検出したと判定する。
【００８６】
ステップＳ８７において、タッチパネル１３の検出状態がタッチ検出なしとなると、ステップＳ８８において、制御回路５２は、タッチパネル１３の初期化を再度行う。すなわち、制御回路５２は、判定閾値を設定しなおす。ステップＳ８８においては、表示素子１２の電源状態は電源オンである。この状態で判定閾値を再設定すると、表示素子１２の駆動周期による電気的なノイズの影響が容量結合１２１に加わった状態で、判定閾値が決定される。そのため、表示素子１２の駆動周期による電気的なノイズによりタッチパネル１３がタッチ入力を誤検出する可能性を低減することができる。
【００８７】
判定閾値の再設定が終了すると、ステップＳ４８において、タッチパネル１３の動作状態はタッチ検出動作状態となる。
【００８８】
このように本実施形態によれば、情報処理装置５０は、タッチパネル１３からタッチ検出信号が出力されると、タッチ検出信号が出力されたときの照度センサ５１の出力が、入力手段１００のタッチパネル１３への接触を示すものない場合に判定閾値を設定しなおす。より具体的には、情報処理装置５０は、照度センサ５１からの出力に示される照度が所定の閾値以下となっていない場合には、照度センサ５１の出力が入力手段１００の接触を示すものでないと判定し、タッチパネル１３を初期化し、判定閾値を設定しなおす。
【００８９】
照度センサ５１からの出力に示される照度が所定の閾値以下となっていないということは、タッチ入力が行われていない可能性が高い。それにもかかわらず、タッチパネル１３がタッチ入力を検出した場合には、タッチパネル１３の周辺の電子部品の駆動周期による電気的なノイズによる誤検出であると考えられる。そのため、判定閾値を設定しなおすことで、周辺の電子部品の駆動周期による電気的なノイズの影響を踏まえた判定閾値を決定することができるので、以後、タッチパネル１３がタッチ入力を誤検出する可能性を低減することができる。また、本実施形態の情報処理装置５０によれば、特許文献１に開示の技術のように、走査線に対応するタッチパネル上のタッチ入力の検出を行わない領域の設定が不要であり、簡易な構成でタッチ入力を誤検出する可能性を低減することができる。
【符号の説明】
【００９０】
１０，５０    情報処理装置
１１    ケース
１２    表示素子
１３    タッチパネル
１４    加速度センサ
１５，５２    制御回路
２１    加速度
５１    照度センサ
６０    手
１００    指
【図１】
2013109636.tif 000003
【図２】
2013109636.tif 000004
【図３】
2013109636.tif 000005
【図４】
2013109636.tif 000006
【図５】
2013109636.tif 000007
【図６】
2013109636.tif 000008
【図７】
2013109636.tif 000009
【図８】
2013109636.tif 000010
【図９】
2013109636.tif 000011
【図１０】
2013109636.tif 000012
【図１１】
2013109636.tif 000013
【図１２】
2013109636.tif 000014
【図１３】
2013109636.tif 000015